(57)【要約】【課題】回路と共に使用する漏洩電流マスキング装置を提供する。【解決手段】回路（２０８）と共に使用する漏洩電流マスキング装置（２００）は、回路（２０８）と結合し、回路（２０８）に誘導性負荷をかけるように構成された少なくとも１つの誘導性負荷装置（２１４）と、誘導性負荷装置（２１４）に通信可能に結合されたプロセッサ（２２０）とを含む。プロセッサ（２２０）は、回路（２０８）を通る電流を表す信号を受信し、電流の容量性漏洩電流成分を計算し、容量性漏洩電流成分を低減するために、誘導性負荷装置（２１４）に回路（２０８）にかける誘導性負荷を調節させるように構成される。【選択図】図２
2012122997.tif 000002
【特許請求の範囲】
【請求項１】
回路（２０８）と共に使用する漏洩電流マスキング装置（２００）であって、
前記回路（２０８）に結合され、前記回路（２０８）に誘導性負荷をかけるように構成された少なくとも１つの誘導性負荷装置（２１４）と、
前記少なくとも１つの誘導性負荷装置（２１４）に通信可能に結合されたプロセッサ（２２０）とを備え、前記プロセッサ（２２０）が、
前記回路（２０８）を通る電流を表す信号を受信し、
前記電流の容量性漏洩電流成分を計算し、
前記容量性漏洩電流成分を低減するために、前記少なくとも１つの誘導性負荷装置（２１４）に、前記回路（２０８）にかかる前記誘導性負荷を調節させるように構成されている、漏洩電流マスキング装置（２００）。
【請求項２】
前記プロセッサ（２２０）に通信可能に結合された電流センサ（２０２）をさらに備え、前記電流センサ（２０２）が、前記回路（２０８）を通る前記電流を測定し、前記電流を表す前記信号を前記プロセッサ（２２０）へ送信するように構成されている、請求項１記載の漏洩電流マスキング装置（２００）。
【請求項３】
前記回路（２０８）が少なくとも１つの線路導体（２０６）および中性導体（２１０）を含み、前記電流センサ（２０２）が、前記少なくとも１つの線路導体（２０６）を通る第１の電流を測定し、前記中性導体（２１０）を通る第２の電流を測定し、前記第１の電流を表す第１の信号を前記プロセッサ（２２０）へ送信し、前記第２の電流を表す第２の信号を前記プロセッサ（２２０）へ送信するようにさらに構成されている、請求項２記載の漏洩電流マスキング装置（２００）。
【請求項４】
前記プロセッサ（２２０）が、前記回路（２０８）を通る前記電流を前記第１の電流と前記第２の電流の和として計算するように構成されている、請求項３記載の漏洩電流マスキング装置（２００）。
【請求項５】
前記電流センサ（２０２）および前記プロセッサ（２２０）に通信可能に結合された信号処理ユニット（２１２）をさらに備え、前記信号処理ユニット（２１２）が、前記電流センサ（２０２）から前記回路（２０８）を通る前記電流を表す前記信号を受信し、前記信号にフィルタリング操作およびアナログ−デジタル変換操作のうちの少なくとも１つを加えるように構成されている、請求項２記載の漏洩電流マスキング装置（２００）。
【請求項６】
前記プロセッサ（２２０）が、前記容量性漏洩電流成分を閾値と比較するようにさらに構成されている、請求項１記載の漏洩電流マスキング装置（２００）。
【請求項７】
前記プロセッサ（２２０）が、前記容量性漏洩電流成分が前記閾値よりも大きいとき、前記少なくとも１つの誘導性負荷装置（２１４）に前記回路（２０８）にかかる前記誘導性負荷を増加させるようにさらに構成されている、請求項６記載の漏洩電流マスキング装置（２００）。
【請求項８】
前記プロセッサ（２２０）および前記少なくとも１つの誘導性負荷装置（２１４）に通信可能に結合されたセレクタ（２１６）をさらに備え、前記プロサッサ（２２０）が、命令信号を前記セレクタ（２１６）へ送信するようにさらに構成され、前記セレクタ（２１６）が、前記少なくとも１つの誘導性負荷装置（２１４）に前記回路（２０８）にかかる前記誘導性負荷を、前記命令信号に応答して調節させるように構成されている、請求項１記載の漏洩電流マスキング装置（２００）。
【請求項９】
電源（１０８）を負荷（１０２）に結合する回路（２０８）の抵抗性地絡を検出するように構成された地絡回路遮断器（ＧＦＣＩ）（１１０）と、
前記ＧＦＣＩ（１１０）に電気的に結合された漏洩電流マスキング装置（２００）とを備え、前記漏洩電流マスキング装置（２００）が、
前記回路（２０８）に結合され、前記回路（２０８）に誘導性負荷をかけるように構成された少なくとも１つの誘導性負荷装置（２１４）と、
前記少なくとも１つの誘導性負荷装置（２１４）に通信可能に結合されたプロセッサ（２２０）とを備え、前記プロセッサ（２２０）が、
前記回路（２０８）を通る電流を表す信号を受信し、
前記電流の容量性漏洩電流成分を計算し、
前記容量性漏洩電流成分を低減するために、前記少なくとも１つの誘導性負荷装置（２１４）に前記回路（２０８）にかかる前記誘導性負荷を調節させるように構成されている、充電システム（１００）。
【請求項１０】
前記漏洩電流マスキング装置（２００）が、前記プロセッサ（２２０）に通信可能に結合された電流センサ（２０２）をさらに備え、前記電流センサ（２０２）が、前記回路（２０８）を通る前記電流を測定し、前記電流を表す前記信号を前記プロセッサ（２２０）へ送信するように構成されている、請求項９記載の充電システム（１００）。
【請求項１１】
前記回路（２０８）が少なくとも１つの線路導体（２０６）および中性導体（２１０）を含み、前記電流センサ（２０２）が、前記少なくとも１つの線路導体（２０６）を通る第１の電流を測定し、前記中性導体（２１０）を通る第２の電流を測定し、前記第１の電流を表す第１の信号を前記プロセッサ（２２０）へ送信し、前記第２の電流を表す第２の信号を前記プロセッサ（２２０）へ送信するようにさらに構成されている、請求項１０記載の充電システム（１００）。
【請求項１２】
前記回路（２０８）を通る前記電流が残留電流を含み、前記プロセッサ（２２０）が、前記回路（２０８）を通る前記残留電流を前記第１の電流と前記第２の電流の和として計算するように構成されている、請求項１１記載の充電システム（１００）。
【請求項１３】
前記漏洩電流マスキング装置（２００）が、前記電流センサ（２０２）および前記プロセッサ（２２０）に通信可能に結合された信号処理ユニット（２１２）をさらに備え、前記信号処理ユニット（２１２）が、前記電流センサ（２０２）から前記回路（２０８）を通る前記電流を表す前記信号を受信し、前記信号にフィルタリング操作およびアナログ−デジタル変換操作のうちの少なくとも１つを加えるように構成されている、請求項１０記載の充電システム（１００）。
【請求項１４】
前記プロセッサ（２２０）が、
前記容量性漏洩電流成分を閾値と比較し、
前記容量性漏洩電流成分が前記閾値よりも大きいとき、前記少なくとも１つの誘導性負荷装置（２１４）に前記回路（２０８）にかかる前記誘導性負荷を増加させるようにさらに構成されている、請求項９記載の充電システム（１００）。
【請求項１５】
前記漏洩電流マスキング装置（２００）が、前記プロセッサ（２２０）および前記少なくとも１つの誘導性負荷装置（２１４）に通信可能に結合されたセレクタ（２１６）をさらに備え、前記プロサッサ（２２０）が、命令信号を前記セレクタ（２１６）へ送信するようにさらに構成され、前記セレクタ（２１６）が、前記少なくとも１つの誘導性負荷装置（２１４）に前記回路（２０８）にかかる前記誘導性負荷を、前記命令信号に応答して調節させるように構成される、請求項９記載の充電システム（１００）。
【発明の詳細な説明】
【技術分野】
【０００１】
本明細書に記載の実施形態は、一般に回路故障検出に関し、より詳細には、回路の地絡を検出することに関する。
【背景技術】
【０００２】
従来の電気システムでは、正弦波ＡＣ電流および電圧性能の解析は、正弦波のフェーザ特徴付け（phasor characterization）を用いて、単純化される。こうしたフェーザ特徴付けは、一般に、抵抗性要素に関連した「実数」成分およびリアクタンス性要素に関連した「虚数」成分を有する複素数を用いる。例えば、回路の地絡電流のフェーザ特徴付けは、電気システムの容量性要素を通って流れるリアクタンス性の虚電流成分と、抵抗性の実電流成分とを含む。リアクタンス性電流成分は、純粋にリアクタンス性であり、加熱を引き起こさず、また感電の危険も生じない。したがって、地絡電流のリアクタンス性電流成分に対しては、保護装置のトリップが必要でない。対照的に、抵抗性成分は、加熱を引き起こし、感電の危険をもたらすことがある。したがって、地絡電流の抵抗性成分に対してのみ、保護装置のトリップが必要となる。
【先行技術文献】
【特許文献】
【０００３】
【特許文献１】米国特許第７，３６２，５５１号公報
【発明の概要】
【発明が解決しようとする課題】
【０００４】
電気車両またはハイブリッド電気車両など、電気装置を充電するのに使用される少なくともいくつかの既知のシステムおよび装置は、容量的に発生した漏洩電流と抵抗性接地電流とを区別することができない。したがって、少なくともいくつかの既知のシステムおよび装置は、電気装置への電流の流れを遮断する迷惑トリップを受けやすい。例えば、充電システムまたは装置は、一般に、車庫またはカーポートに設けられたコンセントなどの、家庭の壁の電力コンセントを通じて、電力配電回路網に接続する。消防規則および法規で大抵、これらのコンセントが地絡回路遮断（ＧＦＣＩ）ブレーカを含むこと、または抵抗性電流を検出する内蔵式地絡遮断壁コンセントを使用することが要求される。しかし、多くの電気車両搭載の電池充電器は、真の抵抗性地絡が実際には存在しないときも、容量性電流により、ＧＦＣＩブレーカまたはＧＦＩ壁コンセントなど、ＧＦＣＩ装置をトリップさせることができる高い漏洩電流を発生させる。少なくともいくつかのＧＦＣＩ装置では、真の、または抵抗性の地絡条件が存在しなくても、大地への容量性電流によって迷惑トリップが生じることがある。例えば、容量性電流は、少なくともいくつかの既知のＧＦＣＩ装置の所定の電流閾値を越すことがあり、ＧＦＣＩ装置の迷惑トリップがもたらされる。
【課題を解決するための手段】
【０００５】
一様態では、回路と共に使用する漏洩電流マスキング装置を提供する。漏洩電流マスキング装置は、回路に結合され、回路に誘導性負荷をかけるように構成された少なくとも１つの誘導性負荷装置と誘導性負荷装置に通信可能に結合されたプロセッサとを含む。プロセッサは、回路を通る電流を表す信号を受信し、電流の容量性漏洩電流成分を計算し、容量性漏洩電流成分を低減するために、誘導性負荷装置に回路にかかる誘導性負荷を調節させるように構成される。
【０００６】
他の一様態では、充電システムは、電源および負荷と結合する回路内の抵抗性地絡を検出するように構成された地絡回路遮断器（ＧＦＣＩ）とＧＦＣＩに電気的に結合された漏洩電流マスキング装置とを含む。漏洩電流マスキング装置は、回路に結合され、回路に誘導性負荷をかけるように構成された少なくとも１つの誘導性負荷装置と誘導性負荷装置に通信可能に結合されたプロセッサとを含む。プロセッサは、回路を通る電流を表す信号を受信し、電流の容量性漏洩電流成分を計算し、容量性漏洩電流成分を低減するために、誘導性負荷装置に回路にかかる誘導性負荷を調節させるように構成される。
【０００７】
他の一様態では、回路内の抵抗性地絡を検出する方法を提供する。その方法は、プロセッサで回路を通る電流を表す信号を受信し、電流の容量性漏洩電流成分および地絡電流成分を計算することを含む。また、その方法は、容量性漏洩電流成分を低減するために、少なくとも１つの誘導性負荷装置に回路にかかる誘導性負荷を調節させること、および地絡電流成分に基づいて回路内の抵抗性地絡を検出することを含む。
【図面の簡単な説明】
【０００８】
【図１】例示的な充電システムの概略ブロック図である。
【図２】図１に示した充電システムと共に使用しうる例示的な漏洩電流マスキング装置の概略ブロック図である。
【図３】図１に示した充電システムを使用して、回路内の抵抗性地絡を検出する例示的な方法を示す流れ図である。
【発明を実施するための形態】
【０００９】
容量性漏洩電流などの漏洩電流にマスクキングをする、および／または地絡を検出するのに使用するシステム、方法、および装置の例示的な実施形態を本明細書で説明する。これらの実施形態では、容量的に発生した漏洩電流と抵抗性地絡とを区別し、それにより地絡回路遮断器など、回路遮断装置の迷惑トリップを低減することを容易にする。
【００１０】
「電気装置」という用語は、一般に、電気コンセントから電力を受け取り、少なくともその電力の一部を電池または他の電力貯蔵装置に貯蔵することができる任意の装置を指す。例示的な電気装置は、電気車両および電気ハイブリッド車両を、ただ含むということに制限されないが、含むことができる。上記の例は、例示のためだけであり、「電気装置」という用語の定義および／または意味を多少なりとも制限するものではない。
【００１１】
図１は、電気装置１０２を充電するのに使用する例示的な充電システム１００の概略ブロック図である。例示的な実施形態では、電気装置１０２は、充電装置１０４および充電装置１０４に電気的に結合された１つまたは複数の電池１０６を含む。本明細書の説明では、電気装置１０２、充電装置１０４、および／または電池１０６は、負荷と呼ぶことができる。
【００１２】
例示的な実施形態では、充電システム１００は、電源１０８、地絡回路遮断器（ＧＦＣＩ）１１０、および漏洩電流マスキング装置２００を含む。マスキング装置２００は、ＧＦＣＩ）１１０と充電装置１０４との間に取り外し可能に結合されるように構成される。代替の実施形態では、マスキング装置２００は電気装置１０２の構成部品である。例えば、マスキング装置２００は、充電装置１０４の構成部品であっても、充電装置１０４に電気的に結合されてもよい。
【００１３】
さらに、例示的な実施形態では、マスキング装置２００は、大地へ流れている容量性漏洩電流が所定の閾値よりも小さくなるか、または、ほぼ相殺されるまで、線路導体など、回路または回路の一部にかかる誘導性負荷を調節する。閾値は任意の所望の値をとることができる。例えば、いくつかの用途では、閾値は約５ミリアンペアとすることができる。したがって、容量性漏洩電流に対する閾値はより低くすべきである。マスキング装置２００は、容量性漏洩電流が可能な限り零に近くなるまで、誘導性負荷を調節することが好ましい。容量性漏洩電流を低減するために回路に誘導性負荷を加えたなら、ＧＦＣＩ  １１０で抵抗性地絡に関して回路を監視することができる。容量性漏洩電流を低減または相殺し、抵抗性電流のみを測定することにより、ＧＦＣＩ  １１０の迷惑トリップを低減することが容易になる。
【００１４】
図２は、漏洩電流マスキング装置２００の概略ブロック図である。例示的な実施形態では、マスキング装置２００は、１つまたは複数の電流センサ２０２および１つまたは複数の電圧センサ２０４を含む。電流センサ２０２は、ＧＦＣＩと負荷との間の、残留電流または差電流などの電流を測定する。例えば、電流センサ２０２は、回路２０８の相導体または線路導体２０６を通る電流を測定することができる。代替の実施形態では、電流センサ２０２は、回路２０８の線路導体２０６を通る第１の電流および中性導体２１０を通る第２の電流を測定する。次いで、残留電流は、第１の電流と第２の電流との差として計算することができる。他の代替の実施形態では、回路２０８が２つの線路導体２０６を含む場合には、電流センサ２０２は、第１の線路導体を通る第１の電流、第２の線路導体を通る第２の電流、および中性導体２１０を通る第３の電流を測定する。次いで、残留電流は、第１の電流と第２の電流との和、第２の電流と第３の電流との和、または第１の電流と第３の電流との和として計算することができる。例示的な実施形態では、電流センサ２０２は電流変成器である。しかし、回路２０８を通る電流の測定を可能にする任意の適切な電流センサを使用しうる。電流を測定したなら、電流センサ２０２は、測定された電流を表す信号を送信する。例示的な実施形態では、電圧センサ２０４は、回路２０８の導体間の電圧を測定する。例えば、電圧センサ２０４は、線路導体２０６と中性導体２１０との間の電圧を測定することができる。代替の実施形態では、電圧センサ２０４は、２つの線路導体２０６間の電圧を測定する。電圧を測定したなら、電圧センサ２０４は、測定された電圧を表す信号を生成する。
【００１５】
例示的な実施形態では、マスキング装置２００はまた、電流センサ２０２および／または電圧センサ２０４に通信可能に結合された信号調節ユニット２１２を含む。信号調節ユニット２１２は、例示的なものであり、制限するものではないが、電流信号および／または電圧信号をフィルタリング、増幅、および／または変換するのに使用する電気構成部品を含む。例示的な実施形態では、信号調節ユニット２１２は、アナログ−デジタル（Ａ／Ｄ）変換操作を使用して、電流信号および／または電圧信号などのアナログ信号をデジタル信号に変換するＡ／Ｄ変換器（図示せず）を含む。
【００１６】
さらに、マスキング装置２００は、誘導性負荷装置２１４および誘導性負荷装置２１４に動作可能なように結合されたセレクタ２１６を含む。例示的な実施形態では、誘導性負荷装置２１４は、インダクタのインダクタンスの調節を可能にする複数のタップ２１８の付いたインダクタを含む。セレクタ２１６は、回路２０８にかける誘導性負荷の量を調節するために、インダクタのタップ２１８に選択的に結合するスイッチである。回路２０８が２つの線路導体２０６および中性導体を含む代替の実施形態では、マスキング装置２００は、複数の誘導性負荷装置２１４を含む。こうした実施形態では、各誘導性負荷装置２１４が誘導性負荷をそれぞれの線路導体２０６にかける。
【００１７】
さらに、マスキング装置２００は、信号調節ユニット２１２に通信可能に結合されたプロセッサ２２０を含む。「プロセッサ」という用語は、一般に、本明細書に記載の機能を実行できる、システムおよびマイクロコントローラ、縮小命令セット回路（ＲＩＳＣ）、特定用途向け集積回路（ＡＳＩＣ）、プログラム可能論理回路（ＰＬＣ）、ならびに任意の他の回路を含む任意のプログラム可能なシステムを指す。上記の例は、例示のためだけであり、「プロセッサ」という用語の定義および／または意味を多少なりとも制限するものではない。例示的な実施形態では、プロセッサ２２０は、電流信号および／または電圧信号を電流センサ２０２および／または電圧センサ２０４からそれぞれ受信する。具体的には、プロセッサ２２０は、デジタル化された電流信号および／またはデジタル化された電圧信号を信号調節ユニット２１２から受信する。次いで、プロセッサ２２０は、電流信号の実部および電流信号の虚部を決定する。例示的な実施形態では、電流信号の実部は抵抗性地絡電流成分を表し、虚部は容量性漏洩電流成分を表す。地絡電流Ｉgfを有する所与の回路に対し、位相電流と中性電流の和である残留電流Ｉrと位相の複素共役との積の実部の、中性電圧Ｖに対する比を用いて、電流Ｉgfを決定できることを理解されたい。このことは、式（１）で以下に表される。
【００１８】
Ｉgf＝［Ｒｅ｛（Ｉr）×（Ｖ）｝］／｜Ｖ｜
さらに、残留電流の実部および虚部を計算するときには、プロセッサ２２０は、測定された線路電圧に第１および第２の所定の正弦波形を掛けることにより、線路電圧のフェーザ表現を作成する。第１の所定の正弦波形は、線路電圧の実部を生成するのに使用し、第２の所定の正弦波形は、線路電圧の虚部を生成するのに使用する。いくつかの実施形態では、第１および第２の正弦波形は、回路の電圧の周波数に整合するように選択する。例示的な実施形態では、プロセッサ２２０は、さらに、測定または計算された残留電流に第３および第４の所定の正弦波形を掛けることにより、残留電流のフェーザ表現を作成する。第３の所定の正弦波形は、残留電流の実部（すなわち、地絡電流）を生成するのに使用し、第４の所定の正弦波形は、残留電流の虚部（すなわち、容量性漏洩電流）を生成するのに使用する。いくつかの実施形態では、第３および第４の正弦波形は、回路の電流の周波数に整合するように選択する。
【００１９】
容量性漏洩電流の大きさに基づいて、プロセッサ２２０は、回路２０８にかける追加の誘導性負荷が必要かどうかを決定する。プロセッサ２２０は、追加すべき誘導性負荷の量を決定し、誘導性負荷装置２１４を用いて、セレクタ２１６に回路２０８にかかる誘導性負荷を調節させる。例えば、プロセッサ２２０は、容量性漏洩電流Ｉc、線路電圧Ｖ、およびシステム周波数ｆを用いて、容量Ｃを計算する。その計算を式（２）で以下に示す。
【００２０】
Ｃ＝Ｉc／（Ｖ＊２π＊ｆ）
プロセッサ２２０は、容量性漏洩電流を閾値と比較する。容量性漏洩電流が閾値よりも大きい場合、プロセッサ２２０は、セレクタ２１６へ命令信号を送信し、大地へ流れている容量性漏洩電流が閾値よりも小さくなる、またはほぼ相殺されるまで、容量性漏洩電流を低減することを容易にする。信号に応答して、セレクタ２１６は、誘導性負荷を増加させるなどにより、回路２０８にかかる誘導性負荷を調節するように、誘導性負荷装置２１４を制御する。例示的な実施形態では、誘導性負荷は、回路２０８の容量Ｃおよびに回路２０８の共振周波数ｆrに基づく。回路２０８の共振周波数ｆrは、プロセッサ２２０により、以下に示す式（３）を用いて計算される。
【００２１】
ｆr＝１／［２π（ＬＣ）1/2］
容量性漏洩電流が適切に低減した後に、プロセッサ２２０は、線路電圧フェーザの大きさを計算し、線路電圧の虚部の負数を決定することにより線路電圧フェーザの複素共役を生成する。次いで、残留電流フェーザに共役線路電圧フェーザを掛けて、地絡電流のフェーザ表現を生成する。地絡電流の実部を得るために、地絡電流フェーザは、線路電圧フェーザの大きさを分割することによって計算される。次いで、プロセッサ２２０は、地絡電流の実部をＧＦＣＩ  １１０へ送信する。
【００２２】
次いで、ＧＦＣＩ  １１０は、真の地絡条件が回路２０８内に存在するかどうかを決定する。例えば、ＧＦＣＩ  １１０は、地絡電流の実部を地絡電流の閾値または所定のレベルと比較する。地絡電流の実部が地絡電流の閾値または所定のレベルよりも大きい場合、真の地絡が存在すると決定する。こうした決定に応答して、ＧＦＣＩ  １１０は、地絡検出を除くために、例えば、回路ブレーカをトリップさせることにより、回路２０８の開放を開始する。
【００２３】
図３は、回路２０８（図２に示す）などの回路内の抵抗性地絡を検出する例示的な方法を示す流れ図３００である。例示的な実施形態では、電流センサ２０２（図２に示す）は、回路２０８の導体を通る、残留電流などの電流を測定する（３０２）。いくつかの実施形態では、電流センサ２０２は、線路導体２０６（図２に示す）を通る第１の電流を測定し、中性導体２１０（図２に示す）を通る第２の電流を測定し、第１および第２の電流を表す第１および第２の信号をそれぞれ送信する。さらに、電圧センサ２０４（図２に示す）は、線路導体２０６と中性導体２１０との間など、回路２０８の導体間の電圧を測定する。電圧センサ２０４は、電圧を表す第３の信号を送信する。例示的な実施形態では、信号調節ユニット２１２（図２に示す）は、第１の電流、第２の電流、および電圧を表す信号を受信し、信号に対してフィルタリング操作、増幅操作、およびＡ／Ｄ変換のうちの１つまたは複数を実行する。次いで、信号調節ユニット２１２は、信号をプロセッサ２２０（図２に示す）へ送信する（３０４）。
【００２４】
プロセッサ２２０は、信号を受信し、回路２０８にかかる誘導性負荷を調節すべきかどうか、また地絡電流が回路２０８に存在するかどうかを決定する。具体的には、プロセッサ２２０は、残留電流の容量性漏洩電流成分および残留電流の地絡電流成分を計算する（３０６）。例えば、上記でより詳しく説明したように、プロセッサ２２０は、容量性漏洩電流成分を表す、残留電流の虚部を計算する。さらに、プロセッサ２２０は、地絡電流成分を表す、残留電流の実部を計算する。プロセッサ２２０は、容量性漏洩電流成分を第１の閾値と比較する（３０８）。比較に基づいて、プロセッサ２２０は、容量性漏洩電流成分が第１の閾値よりも大きいかどうかを決定する（３１０）。容量性漏洩電流成分が第１の閾値よりも大きくない場合、プロセッサ２２０は、信号調節ユニット２１２により送信されるはずの次の残留電流信号を待つ。容量性漏洩電流成分が第１の閾値よりも大きいとき、プロセッサ２２０は、容量性漏洩電流成分をほぼ相殺させるために回路２０８に追加すべき誘導性負荷の量を計算する（３１２）。プロセッサ２２０は、容量性漏洩電流成分をほぼ相殺させるために回路２０８に追加すべき誘導性負荷の量を含む命令信号をセレクタ２１６（図２に示す）へ送信する。命令信号に応答して、セレクタ２１６は、誘導性負荷装置２１４（図２に示す）に誘導性負荷を調節させる。
【００２５】
容量性漏洩電流成分が、ほぼ相殺されたか、または第１の閾値よりも少なくとも小さいとき、プロセッサ２２０は、地絡電流成分を表す信号をＧＦＣＩ  １１０（図２に示す）へ送信する。ＧＦＣＩ  １１０は、地絡電流成分を第２の閾値と比較し（３１４）、地絡が回路２０８に存在するかどうかを決定する（３１６）。地絡が回路２０８に存在する場合、ＧＦＣＩ  １１０は、回路２０８を通る電流の流れを遮断する（３１８）。
【００２６】
地絡を検出し、および／または漏洩電流のマスキングをするシステム、方法、および装置を上記で詳しく説明した。システム、方法、および装置は、本明細書に記載の特定の実施形態に制限されず、むしろ、方法の動作ならびに／あるいはシステムおよび／または装置の構成部品は、本明細書に記載の他の動作ならびに／あるいは構成部品とは独立で別々に利用しうる。さらに、記載の動作ならびに／あるいは構成部品は、他のシステム、方法、および／または装置で定義することも、それらとの組み合わせで使用することもでき、本明細書に記載のシステム、方法、および装置のみでの実施に制限されない。
【００２７】
本発明は、例示的な電力配電システム環境との関連で説明してあるが、本発明の実施形態は、多数の他の一般用途または特殊用途の電力配電システム環境または構成で利用可能である。電力配電システム環境での説明は、本発明の任意の様態の使用または機能性の範囲に関しての何らの制限を示唆するものではない。さらに、電力配電システム環境での説明は、例示的な運用環境で示された構成部品のいずれか１つまたはそれらの組み合わせに関しての何らの依存性または要件を有するものと解すべきではない。
【００２８】
本明細書で示し、説明した、本発明の実施形態での動作の実行または実施の順序は、特別の定めがない限り、本質的ではない。すなわち、動作は、特別の定めがない限り、任意の順で実施することができ、本発明の実施形態は、本明細書で開示した動作よりも追加の動作またはより少ない動作を含むことができる。例えば、ある特定の動作を他の動作の前に、同時に、または後に実行または実施することは、本発明の様態の範囲内であることが企図されている。
【００２９】
本発明の様態または実施形態の要素を導入する際、冠詞「ａ」、「ａｎ」、「ｔｈｅ」、および「ｓａｉｄ」は、要素がひとつまたは複数あることを意味するものである。「ｃｏｍｐｒｉｓｉｎｇ（備える、含む）」、「ｉｎｃｌｕｄｉｎｇ（含む）」、および「ｈａｖｉｎｇ（有する）」という用語は、包括的であり、リストに掲載した要素以外に追加の要素がありうることを意味するものである。
【００３０】
本書では、実施例を用いて、最良の様態を含めて本発明を開示し、また、任意の当業者が、任意の装置またはシステムを作製、使用すること、および任意の組み込まれている方法を実施することを含めて、本発明を実施することを可能にしている。本発明の特許性のある範囲は、特許請求の範囲によって規定され、当業者が想起する他の実施例を含むことができる。こうした他の実施例は、それらが、特許請求の範囲の逐語的な言葉と相違しない構造要素を有する場合、またはそれらが、特許請求の範囲の逐語的な言葉と実質的に相違がない等価な構造要素を含む場合、特許請求の範囲内にあるものとする。
【符号の説明】
【００３１】
１００  充電システム
１０２  電気装置
１０４  充電装置
１０６  電池
１０８  電源
１１０  ＧＦＣＩ
２００  マスキング装置
２０２  電流センサ
２０４  電圧センサ
２０６  線路導体
２０８  回路
２１０  中性導体
２１２  調節ユニット
２１４  誘導性負荷装置
２１６  セレクタ
２１８  タップ
２２０  プロセッサ
３００  流れ図
３０２  回路の導体を通る電流を測定する
３０４  電流を表す信号を送信する
３０６  容量性漏洩電流を計算する
３０８  容量性漏洩電流を閾値と比較する
３１０  容量性漏洩電流が閾値よりも大きいかどうかを決定する
３１２  回路に追加すべき誘導性負荷を計算する
３１４  地絡電流を閾値と比較する
３１６  地絡が回路に存在するかどうかを決定する
３１８  回路を通る電流の流れを遮断する
【図１】
2012122997.tif 000003
【図２】
2012122997.tif 000004
【図３】
2012122997.tif 000005